(57)【要約】【課題】録画される映像の画質と記録容量とのトレードオフを改善する録画装置の提供。【解決手段】映像を符号化する際に当該映像を構成する個々のピクチャを分割して得られる複数のブロックの境界を平滑化する強度を表す平滑化パラメータ８０を、映像のジャンルごとに保持しているパラメータ保持部６０と、対象映像と当該対象映像のジャンルである対象ジャンルとを取得するチューナ１０と、前記対象ジャンルに対応する平滑化パラメータ８０をパラメータ保持部６０から取得するコントローラ７０と、前記対象映像を構成する個々のピクチャを複数のブロックに分割し、当該分割して得られた複数のブロックの境界を、コントローラ７０からから指示された平滑化パラメータ８０で表される強度で平滑化することにより、前記対象映像を録画データ３１に符号化するエンコーダ２０と、録画データ３１をメモリ装置３に書き出すメモリインターフェース３０と、を備える。【選択図】図２
2015002555.tif 000002
【特許請求の範囲】
【請求項１】
映像を符号化する際に当該映像を構成する個々のピクチャを分割して得られる複数のブロックの境界を平滑化する強度を表す平滑化パラメータを、映像のジャンルごとに保持しているパラメータ保持部と、
録画の対象となる映像である対象映像と当該対象映像のジャンルである対象ジャンルとを取得する映像取得部と、
前記対象ジャンルに対応する前記平滑化パラメータを前記パラメータ保持部から取得する制御部と、
前記対象映像を構成する個々のピクチャを複数のブロックに分割し、当該分割して得られた複数のブロックの境界を、前記制御部で取得された前記平滑化パラメータで表される強度で平滑化することにより、前記対象映像を記録用映像に符号化する符号化部と、
前記記録用映像を記録装置に書き出す映像記録部と、
を備える録画装置。
【請求項２】
前記符号化部は、動画像圧縮符号化規格で規定されるデブロッキングフィルタを有し、
前記パラメータ保持部にて保持されている平滑化パラメータは、前記デブロッキングフィルタによるフィルタリング強度を表し、
前記符号化部は、前記対象映像に対し、前記デブロッキングフィルタを、前記制御部から指示された前記平滑化パラメータで表されるフィルタリング強度で適用することによって、前記複数のブロックの境界を平滑化する
請求項１に記載の録画装置。
【請求項３】
前記対象映像を符号化するためのビットレートである対象ビットレートがあらかじめ定められており、
前記パラメータ保持部は、前記平滑化パラメータを、映像のジャンルごとかつビットレートごとに保持しており、
前記制御部は、前記対象ジャンル及び前記対象ビットレートに対応する前記平滑化パラメータを前記パラメータ保持部から取得して前記符号化部に指示し、
前記符号化部は、前記制御部で取得された前記平滑化パラメータに従って、前記対象ビットレートで、前記対象映像を前記記録用映像に符号化する、
請求項１または２に記載の録画装置。
【請求項４】
前記パラメータ保持部は、さらに、ユーザから取得された補正パラメータを保持しており、
前記制御部は、前記パラメータ保持部から取得された前記平滑化パラメータを前記補正パラメータで補正し、当該補正後の平滑化パラメータを前記符号化部に指示し、
前記符号化部は、前記制御部から指示された前記補正後の平滑化パラメータに従って、前記対象映像を前記記録用映像に符号化する、
請求項１から３の何れか１項に記載の録画装置。
【請求項５】
録画装置によって行われる録画方法であって、
前記録画装置は、パラメータ保持部と、映像取得部と、制御部と、符号化部と、映像記録部と、を備え、
前記パラメータ保持部は、映像を符号化する際に当該映像を構成する個々のピクチャを分割して得られる複数のブロックの境界を平滑化する強度を表す平滑化パラメータを、映像のジャンルごとに保持しており、
前記録画方法は、
前記映像取得部で、録画の対象となる映像である対象映像と当該対象映像のジャンルである対象ジャンルとを取得し、
前記制御部で、前記対象ジャンルに対応する前記平滑化パラメータを前記パラメータ保持部から取得し、
前記符号化部で、前記対象映像を構成する個々のピクチャを複数のブロックに分割し、当該分割して得られた複数のブロックの境界を、前記制御部で取得された前記平滑化パラメータで表される強度で平滑化することにより、前記対象映像を記録用映像に符号化し、
前記映像記録部で、前記記録用映像を記録装置に書き出す
録画方法。
【発明の詳細な説明】
【技術分野】
【０００１】
本発明は、録画装置及び録画方法に関し、特には、再生映像の画質と記録容量とのトレードオフを改善する技術に関する。
【背景技術】
【０００２】
録画装置において、再生映像の画質と記録容量との間にトレードオフがあることは周知である。限られた容量の記録媒体に長時間の映像を記録するため、再生映像の画質を妥協することが、従来から行われている。
【０００３】
例えば、放送番組を録画する際に、録画しようとする番組のジャンルを、ＥＰＧ（Ｅｌｅｃｔｒｏｎｉｃ  Ｐｒｏｇｒａｍ  Ｇｕｉｄｅ）情報から取得し、取得されたジャンルに対応する録画モードで当該番組を録画する録画装置が知られている（例えば、特許文献１）。
【０００４】
特許文献１の録画装置では、番組のジャンルと録画モードとの対応が、ユーザによってあらかじめ定義される。ユーザは、例えば、ドラマ、音楽、教養、アニメ、ニュースといった番組のジャンルに対応付けて、録画モードをあらかじめ定義する。定義される録画モードは、例えば、デジタル録画では２〜１０Ｍｂｐｓの中から選ばれるビットレート、アナログ録画では標準モード又は３倍モードの中から選ばれるテープスピードである。録画装置は、当該定義された録画モードに従って番組を録画する。
【０００５】
特許文献１では、このような構成により、録画番組の画質の選択が、ユーザの好みに合わせて、より簡単な操作で行えるとしている。
【先行技術文献】
【特許文献】
【０００６】
【特許文献１】特開２００１−３６８６１号公報
【発明の概要】
【発明が解決しようとする課題】
【０００７】
しかしながら、例えば、元の映像がハイビジョン画質である場合など、録画のビットレートを下げると、再生映像における画質の低下がとりわけよく目立つ場合がある。例えば、ハイビジョン画質で放送された番組を低いビットレートで録画すると、再生映像にブロックノイズやジャギーが目立ち、ユーザは、画質が著しく劣化した印象を受ける。
【０００８】
そのため、限られた容量の記録媒体に映像を録画するユーザは、再生映像の望ましい画質を得るために録画できる総時間を減らして録画のビットレートを上げるか、又は、再生映像の画質劣化を受け入れて録画のビットレートを下げざるを得ない。
【０００９】
記録容量（具体的には、録画のビットレート）と再生映像の画質との間にトレードオフがあること自体は本質的であり不可避であるが、このようなトレードオフは少しでも改善されることが望ましい。
【００１０】
本発明は、かかる問題に鑑みてなされたものであり、記録容量と再生映像の画質とのトレードオフを改善する録画装置を提供することを目的とする。
【課題を解決するための手段】
【００１１】
上記目的を達成するために、開示される録画装置の１つの態様は、映像を符号化する際に当該映像を構成する個々のピクチャを分割して得られる複数のブロックの境界を平滑化する強度を表す平滑化パラメータを、映像のジャンルごとに保持しているパラメータ保持部と、録画の対象となる映像である対象映像と当該対象映像のジャンルである対象ジャンルとを取得する映像取得部と、前記対象ジャンルに対応する前記平滑化パラメータを前記パラメータ保持部から取得する制御部と、前記対象映像を構成する個々のピクチャを複数のブロックに分割し、当該分割して得られた複数のブロックの境界を、前記制御部で取得された前記平滑化パラメータで表される強度で平滑化することにより、前記対象映像を記録用映像に符号化する符号化部と、前記記録用映像を記録装置に書き出す映像記録部と、を備える。
【００１２】
この構成によると、対象映像を録画する際に、対象ジャンルごとに適した強度でブロックノイズを低減するので、再生映像の画質が劣化した印象が全般的に緩和される。前記録画装置によれば、ユーザが望む再生画質を得るために映像のジャンルごとに録画のビットレートを高める従来の制御とは異なり、録画のビットレートは固定したままで、映像のジャンルごとにブロック境界の平滑化パラメータを調整することによって、再生画質が全般的に改善される。その結果、前記録画装置では、記録容量と再生映像の画質との間のトレードオフが改善される。
【００１３】
また、例えば、前記符号化部は、動画像圧縮符号化規格で規定されるデブロッキングフィルタを有し、前記パラメータ保持部にて保持されている平滑化パラメータは、前記デブロッキングフィルタによるフィルタリング強度を表し、前記符号化部は、前記対象映像に対し、前記デブロッキングフィルタを、前記制御部から指示された前記平滑化パラメータで表されるフィルタリング強度で適用することによって、前記複数のブロックの境界を平滑化してもよい。
【００１４】
この構成によると、前記デブロッキングフィルタによるフィルタリング強度の調整を通して、前述の効果が得られる。
【００１５】
また、例えば、前記対象映像を符号化するためのビットレートである対象ビットレートがあらかじめ定められており、前記パラメータ保持部は、前記平滑化パラメータを、映像のジャンルごとかつビットレートごとに保持しており、前記制御部は、前記対象ジャンル及び前記対象ビットレートに対応する前記平滑化パラメータを前記パラメータ保持部から取得して前記符号化部に指示し、前記符号化部は、前記制御部で取得された前記平滑化パラメータに従って、前記対象ビットレートで、前記対象映像を前記記録用映像に符号化してもよい。
【００１６】
この構成によると、録画のビットレートは、録画の対象となる番組のジャンルとは無関係に変更されてもよい。録画のビットレートが変更された場合、前記録画装置は、変更後のビットレートにおいてジャンルごとに適した強度でブロック境界を平滑化するので、ビットレートの変更前後で一貫して、前述の効果が得られる。
【００１７】
また、例えば、前記パラメータ保持部は、さらに、ユーザから取得された補正パラメータを保持しており、前記制御部は、前記パラメータ保持部から取得された前記平滑化パラメータを前記補正パラメータで補正し、当該補正後の平滑化パラメータを前記符号化部に指示し、前記符号化部は、前記制御部から指示された前記補正後の平滑化パラメータに従って、前記対象映像を前記記録用映像に符号化してもよい。
【００１８】
この構成によると、ユーザは、平滑化パラメータに対する自らの好みが反映された再生映像を得ることができる。
【００１９】
なお、これらの全般的または具体的な態様は、システム、方法、集積回路、またはコンピュータプログラムまたはコンピュータ読み取り可能なＣＤ−ＲＯＭなどの記録媒体で実現されてもよく、システム、方法、集積回路、およびコンピュータプログラムおよび記録媒体の任意な組み合わせで実現されてもよい。
【発明の効果】
【００２０】
本発明の態様に係る録画装置によると、対象映像を録画する際に、対象ジャンルごとに適した強度でブロックノイズを低減するので、再生映像の画質が劣化した印象が全般的に緩和される。そのため、録画のビットレートは固定したままで、映像のジャンルごとにブロック境界の平滑化パラメータを調整することによって、再生画質が全般的に改善される。その結果、記録容量と再生映像の画質との間のトレードオフを改善する録画装置が提供される。
【図面の簡単な説明】
【００２１】
【図１】実施の形態に係る録画装置の一例を示す外観図である。
【図２】実施の形態に係る録画装置の機能的な構成の一例を示すブロック図である。
【図３】Ｈ．２６４／ＭＰＥＧ−４  ＡＶＣ規格で示されるエンコーダの機能的な構成の一例を示すブロック図である。
【図４】実施の形態に係る平滑化パラメータの一例を示す図である。
【図５】実施の形態に係る録画動作の一例を示すフローチャートである。
【図６】実施の形態に係る補正パラメータの一例を示す図である。
【発明を実施するための形態】
【００２２】
以下、本発明の実施の形態について、図面を用いて詳細に説明する。
【００２３】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００２４】
（実施の形態）
実施の形態に係る録画装置について、図面を用いて詳細に説明する。
【００２５】
図１は、実施の形態に係る録画再生装置１の一例を示す外観図である。図１には、録画再生装置１と共に、ＡＶ（音声映像）モニタ２が示されている。
【００２６】
録画再生装置１は、例えば、テレビジョンチューナ付きのＤＶＤレコーダであってもよく、また録画再生機能付きのテレビジョン受信機であってもよい。録画再生装置１は、録画装置の一例である。
【００２７】
ＡＶモニタ２は、録画再生装置１と接続され、録画再生装置１で受信中の放送番組を表示し、また録画再生装置１で録画され再生された放送番組を表示する。
【００２８】
図２は、録画再生装置１の機能的な構成の一例を示すブロック図である。
【００２９】
録画再生装置１は、チューナ１０、エンコーダ２０、メモリインターフェース３０、デコーダ４０、ＡＶインターフェース５０、パラメータ保持部６０、及びコントローラ７０を備える。
【００３０】
チューナ１０は、放送信号を受信し、受信した放送信号から、放送番組のコンテンツデータ及び当該放送番組のジャンルを取得する。一例として、デジタル放送では、放送番組のコンテンツデータと、当該放送番組のジャンルを含むＳＩ（Ｓｅｒｖｉｃｅ  Ｉｎｆｏｒｍａｔｉｏｎ）とが、ＴＳ（Ｔｒａｎｓｐｏｒｔ  Ｓｔｒｅａｍ）に多重されて送出されている。チューナ１０は、このようなデジタル放送のＴＳを受信することで、放送番組のコンテンツデータとジャンルとを取得してもよい。チューナ１０は、映像取得部の一例である。
【００３１】
チューナ１０で受信される放送番組は、ユーザの録画操作及び録画予約操作に応じて録画の対象となる。録画の対象となる放送番組のコンテンツデータ及びジャンルは、それぞれ対象映像及び対象ジャンルの一例である。
【００３２】
エンコーダ２０は、チューナ１０で取得された録画の対象となる番組のコンテンツデータを録画データに符号化する。当該符号化は、当該コンテンツデータによって表される映像を構成する個々のピクチャを複数のブロックに分割し、当該分割して得られた複数のブロックの境界を平滑化することにより行われる。エンコーダ２０は、コンテンツデータをトランスコードすることによって録画データを生成してもよい。エンコーダ２０及び録画データは、それぞれ符号化部及び記録用映像の一例である。
【００３３】
エンコーダ２０は、例えば、非特許文献１：情報源符号化部Ｈ．２６４／ＭＰＥＧ−４  ＡＶＣ規格の概要、平成１８年２月２４日、社団法人電波産業会、に開示されているエンコーダであってもよい。Ｈ．２６４／ＭＰＥＧ−４  ＡＶＣ規格は、動画像圧縮符号化規格の一例である。
【００３４】
メモリインターフェース３０は、エンコーダ２０で生成された録画データ３１を、メモリ装置３に書き出し、かつメモリ装置３から読み出す。メモリインターフェース３０は、映像記録部の一例である。メモリ装置３の具体的な構成は限定されないが、一例として、ハードディスクドライブ、ＢＤ（Ｂｌｕ−ｒａｙ（登録商標）  Ｄｉｓｋ）ドライブ、ＤＶＤ（Ｄｉｇｉｔａｌ  Ｖｅｒｓａｔｉｌｅ  Ｄｉｓｋ）ドライブ、及び半導体ディスクドライブの何れかで構成されてもよい。メモリ装置３は、録画再生装置１の筐体内部に設けられ、録画再生装置１の一部分を構成してもよい。
【００３５】
デコーダ４０は、チューナ１０で受信中のコンテンツデータ及びメモリインターフェース３０を介してメモリ装置３から読み出される録画データを再生データに復号する。
【００３６】
ＡＶインターフェース５０は、デコーダ４０で復号された再生データをＡＶモニタ２に送信する。これにより、ＡＶモニタ２には、録画再生装置１で受信中の放送番組が表示され、また録画され再生された放送番組が表示される。
【００３７】
パラメータ保持部６０は、平滑化パラメータ８０及び補正パラメータ９０を保持している。
【００３８】
コントローラ７０は、録画再生装置１の全体を制御する。特には、パラメータ保持部６０に保持されている平滑化パラメータ８０を用いてエンコーダ２０を制御する。エンコーダ２０の制御には、さらに、補正パラメータ９０が用いられ得る。
【００３９】
録画再生装置１は、具体的には、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などからなるコンピュータシステム（図示せず）として構成されてもよい。録画再生装置１の構成要素の一部又は全部の機能は、ＣＰＵがＲＡＭを作業用のメモリとして用いてＲＯＭに記録されたプログラムを実行することによって達成されてもよい。また、録画再生装置１の構成要素の一部又は全部の機能は、専用のハードウェア回路によって達成されてもよい。
【００４０】
次に、実施の形態に係る録画方法の基本的な考え方、及びそのような録画方法を行うための録画再生装置１の詳細な構成について説明する。当該録画方法は、録画の際にブロックの境界を平滑化するための強度を映像のジャンルごとに調整することを特徴とする。
【００４１】
以下の説明において、エンコーダ２０は、一例として、Ｈ．２６４／ＭＰＥＧ−４  ＡＶＣ規格に準拠するエンコーダである。
【００４２】
Ｈ．２６４／ＭＰＥＧ−４  ＡＶＣ規格に準拠するエンコーダには、エンコーダ、デコーダ、ＡＶインターフェース、及び制御の各機能が統合された映像音声処理用のＬＳＩ（Ｌａｒｇｅ  Ｓｃａｌｅ  Ｉｎｔｅｇｒａｔｅｄ）製品として提供されているものがある。実施の形態のエンコーダ２０、デコーダ４０、ＡＶインターフェース５０、及びコントローラ７０は、そのようなＬＳＩを用いて構成されてもよい。
【００４３】
図３は、エンコーダ２０の機能的な構成の一例を示すブロック図である。図３の構成自体は、非特許文献１の開示によって周知なので、以下では、本発明の特徴に関わる事項のみを簡単に説明する。
【００４４】
エンコーダ２０は、コンテンツデータによって表される映像を構成する個々のピクチャを複数のブロックに分割してブロックごとに符号化することにより、録画データを生成する。イントラ予測２１は、ピクチャ内の画像の類似性に基づいてイントラマクロブロックの符号量を削減する。インター予測２２は、動き予測を行うことによりピクチャ間の画像の類似性に基づいてマクロブロックの符号量を削減する。デブロッキングフィルタ２３は、ループ内フィルタによりマクロブロックの境界を平滑化することにより、動き予測の誤差に起因して生じるブロックノイズを低減する。量子化２４は、映像の高周波成分に対応する符号を破棄することにより録画データのビットレートを調整する。
【００４５】
先述したように、例えば、放送番組のジャンルに応じたビットレートを量子化２４に指示することにより、録画データの量（記録容量）をジャンルに応じて調整する制御は、従来から行われている。しかし、そのような制御では、記録容量と再生映像の画質との間のトレードオフに未だ改善の余地がある。
【００４６】
本発明者は、このトレードオフの改善に向けて鋭意検討を重ねた結果、従来では再生画像の画質の劣化が目立つような低いビットレートで録画を行う場合であっても、デブロッキングフィルタ２３のフィルタリング強度を放送番組のジャンルごとに適切に調整することによって、再生映像の画質が劣化した印象が全般的に緩和されることを見出した。さらに、多数の試行から、デブロッキングフィルタ２３のフィルタリング強度には、放送番組のジャンルごとかつ録画のビットレートごとに最適値があることも分かった。
【００４７】
デブロッキングフィルタ２３のフィルタリング強度は、映像音声処理用のＬＳＩ製品によっては、複数種類のパラメータを用いて調整できるように構成されている。本発明者が行った試行では、そのようなパラメータの一例として、ＭＰＥＧ−ＮＲパラメータ及びＢ−ＮＲパラメータについて、より好ましい再生画質が得られる値を検討した。
【００４８】
ＭＰＥＧ−ＮＲパラメータは、垂直方向、水平方向、ブロック境界、ブロック境界以外でのフィルタリング強度を変更するためのパラメータであり、Ｂ−ＮＲパラメータは、映像の水平エッジに対してＬＰＦ（Ｌｏｗ  Ｐａｓｓ  Ｆｉｌｔｅｒ）の適用強度を変化させるためのパラメータである。
【００４９】
なお、デブロッキングフィルタ２３のフィルタリング強度を調整するためのパラメータには、上記の他にも、例えば、所定の小サイズの領域に適用されるフィルタリング強度を変更するための微小用Ｂ−ＮＲフィルタゲインパラメータ、シャープネスフィルタを掛ける振幅を変更するためのシャープネスパラメータがあり得る。
【００５０】
これらのパラメータはいずれも、ブロックの境界を平滑化する強度を表す平滑化パラメータの一例である。平滑化パラメータの値に応じてデブロッキングフィルタ２３のフィルタリング強度を上げたときに、ブロックノイズを低減する作用がある反面、細部がつぶれて映像が平坦になる副作用がある。そのため、平滑化パラメータには好適値が存在する。
【００５１】
例えば、映像の平均的な動きが大きいジャンルの放送番組を録画するときは、ブロックノイズが大きくなりやすいので、映像の平均的な動きが小さいジャンルの放送番組を録画するときよりも強いフィルタリング強度が適している。このように、適した平滑化パラメータは、ジャンルごとに異なる。
【００５２】
また、例えば、高いビットレートで録画するときは、動き予測の誤差が小さくなるためブロックノイズが大きくなりにくいので、低いビットレートで録画するときよりも弱いフィルタリング強度が適している。このように、適した平滑化パラメータは、録画のビットレートごとに異なる。
【００５３】
このような知見に基づき、録画再生装置１では、パラメータ保持部６０にて、映像のジャンルごとかつ録画のビットレートごとに平滑化パラメータを保持する。
【００５４】
図４は、平滑化パラメータ８０の一例を示す図である。図４の例では、４つのジャンル及び３つのビットレートのそれぞれについて、前述したＭＰＥＧ−ＮＲパラメータ及びＢ−ＮＲパラメータが保持されている。ＭＰＥＧ−ＮＲパラメータ及びＢ−ＮＲパラメータは、平滑化パラメータの一例である。
【００５５】
ジャンルは、例えば、放送番組の複数のジャンルである。ビットレートは、録画のビットレートについて、例えば、低が２Ｍｂｐｓ〜４Ｍｂｐｓ、中が４．１Ｍｂｐｓ〜６Ｍｂｐｓ、高が６．１Ｍｂｐｓ〜８Ｍｂｐｓの範囲を表す。ＭＰＥＧ−ＮＲパラメータは、例えば、０以上３１以下の整数値であり、Ｂ−ＮＲパラメータは、例えば、０以上２５５以下の整数値であり、何れも値が大きいほど強い平滑化強度を表す。
【００５６】
次に、平滑化パラメータ８０を用いて行われる録画再生装置１の録画動作について説明する。
【００５７】
図５は、録画再生装置１の録画動作の一例を示すフローチャートである。当該録画動作は、例えば、ユーザが放送番組を視聴しながら行う録画操作によって開始されてもよく、また、ユーザがあらかじめ行った録画予約操作に基づいて開始されてもよい。また、録画のビットレートが、放送番組のジャンルとは無関係に、例えば再生映像の全般的な画質に対するユーザの要求に応じて、あらかじめ定められているとする。
【００５８】
チューナ１０は、録画の対象となる放送番組のコンテンツデータとジャンルとを取得し（Ｓ０１）、コントローラ７０は、取得されたジャンル及びあらかじめ定められている録画のビットレートに対応する平滑化パラメータをパラメータ保持部６０から取得してエンコーダ２０に指示する（Ｓ０２）。
【００５９】
エンコーダ２０は、前記コンテンツデータで表される映像を構成する個々のピクチャを複数のブロックに分割し、当該分割して得られた複数のブロックの境界を、コントローラ７０から指示された前記平滑化パラメータで表される強度で平滑化することにより、前記コンテンツデータを録画データ３１に符号化する（Ｓ０３）。メモリインターフェース３０は、録画データ３１をメモリ装置３に書き出す（Ｓ０４）。
【００６０】
以上説明したように、録画再生装置１によれば、あらかじめ定められている録画のビットレートで放送番組を録画する際に、放送番組のジャンルごとに適した強度でブロックノイズを低減するので、再生映像の画質が劣化した印象が全般的に緩和される。
【００６１】
録画再生装置１は、ユーザが望む再生映像の画質を得るために放送番組のジャンルごとに録画のビットレートを高める従来の制御とは異なり、録画のビットレートを固定したままで、放送番組のジャンルごとにブロック境界の平滑化強度を調整することによって、再生画質を全般的に改善する。その結果、録画再生装置１では、記録容量と再生映像の画質との間のトレードオフが改善される。
【００６２】
ここで、録画再生装置１は、録画のビットレートの変更を妨げるものではないことに注意する。録画再生装置１の効果は、どのジャンルの番組も同一のビットレートで録画する場合に、当該同一のビットレートにおいてジャンルごとに適した強度でブロック境界を平滑化することによって達成される。そのため、録画再生装置１において、録画のビットレートは、録画の対象となる番組のジャンルとは無関係に変更されてもよい。録画のビットレートが変更された場合、録画再生装置１は、変更後のビットレートにおいてジャンルごとに適した強度でブロック境界を平滑化するので、ビットレートの変更前後で一貫した効果が得られる。
【００６３】
以上、本発明の１つまたは複数の態様に係る録画装置について、実施の形態に基づいて説明したが、本発明は、この実施の形態に限定されるものではない。本発明の趣旨を逸脱しない限り、当業者が思いつく各種変形を本実施の形態に施した形態や、異なる実施の形態における構成要素を組み合わせて構築される形態が、本発明の１つまたは複数の態様の範囲内に含まれてもよい。
【００６４】
例えば、ブロック境界の平滑化強度は、ユーザの好みに合わせて補正できてもよい。そのような補正を行うために、録画再生装置１は、ユーザから補正パラメータ９０を取得し、図１に示されるように、パラメータ保持部６０で補正パラメータ９０を保持してもよい。
【００６５】
図６は、補正パラメータ９０の一例を示す図である。
【００６６】
補正パラメータ９０は、平滑化パラメータを補正するための係数であり、例えば、０．８、１．０、１．２といった数値によって、平滑化強度に関する、弱め、標準、強めの好みを表してもよい。コントローラ７０は、パラメータ保持部６０から取得したＭＰＥＧ−ＮＲパラメータ及びＢ−ＮＲパラメータに、補正パラメータ９０を乗じることによって補正後の平滑化パラメータを算出し、当該補正後の平滑化パラメータをエンコーダ２０に指示してもよい。エンコーダ２０は、当該補正後の平滑化パラメータで表される強度でブロックの境界を平滑化することにより、コンテンツデータを録画データに符号化してもよい。
【００６７】
このような構成によれば、ユーザは、平滑化パラメータに対する自らの好みが反映された再生映像を得ることができる。
【産業上の利用可能性】
【００６８】
本発明は、例えば、録画再生装置、録画機能付きテレビジョン受信機、録画機能付きセットトップボックス、ハードディスクレコーダ、ＢＤレコーダ、ＤＶＤレコーダなどの各種の映像機器として広く利用できる。
【符号の説明】
【００６９】
１    録画再生装置
２    ＡＶ（音声映像）モニタ
１０    チューナ
２０    エンコーダ
２１    イントラ予測
２２    インター予測
２３    デブロッキングフィルタ
２４    量子化
３０    ハードディスク
３１    録画データ
４０    デコーダ
５０    ＡＶインターフェース
６０    パラメータ保持部
７０    コントローラ
８０    平滑化パラメータ
９０    補正パラメータ
【図１】
2015002555.tif 000003
【図２】
2015002555.tif 000004
【図３】
2015002555.tif 000005
【図４】
2015002555.tif 000006
【図５】
2015002555.tif 000007
【図６】
2015002555.tif 000008